(57)【要約】      （修正有）【課題】ユーザが望む複数の地点の天気に関連する情報を分かりやすく提示する情報処理装置及びプログラムを提供する。【解決手段】表示制御部１３は、取得部１２により取得された天気関連情報を、ユーザにより指定された各地点の地図上の位置と関連付けてユーザ端末（表示装置）に表示させる。このため、表示制御部１３は、ユーザ端末において地図を表示させるための地図情報を含むデータベースを記憶しており、このデータベースから読み出した地図情報と天気関連情報とをユーザ端末に送信して、これらを表示させる。【選択図】図４
2019164436.tif 000002
【特許請求の範囲】
【請求項１】
ユーザによってそれぞれ個別に指定された複数の地点において予想される天気に関連する天気関連情報を取得する取得部と、
取得された前記天気関連情報を、前記指定された各地点の地図上の位置と関連付けて表示装置に表示させる表示制御部と
を備えることを特徴とする情報処理装置。
【請求項２】
前記表示制御部は、前記複数の地点において予想される天気に関連する天気関連情報を、各々の天気が予想される時期と関連付けて表示させ、
さらに、ユーザの操作に応じて各々の前記地点における前記時期を個別に変化させる
ことを特徴とする請求項１記載の情報処理装置。
【請求項３】
前記表示制御部は、前記複数の地点における前記天気関連情報を、所定の条件に応じて異なる優先度に従って表示させる
ことを特徴とする請求項１又は２記載の情報処理装置。
【請求項４】
前記表示制御部は、前記複数の地点における前記天気関連情報のうち、一部の天気関連情報については前記優先度に従って表示させ、当該一部以外の天気関連情報については前記優先度に従う表示を行わない
ことを特徴とする請求項３記載の情報処理装置。
【請求項５】
前記優先度が、前記天気関連情報の内容又は精度に応じて異なる
ことを特徴とする請求項３又は４記載の情報処理装置。
【請求項６】
前記優先度が、前記複数の地点を経由する経路に応じて異なる
ことを特徴とする請求項３又は４記載の情報処理装置。
【請求項７】
前記優先度が、前記複数の地点のそれぞれに対して１以上のユーザから投稿された内容又は投稿数に応じて異なる
ことを特徴とする請求項３又は４記載の情報処理装置。
【請求項８】
前記表示制御部は、
或る時期において予想される天気に関連する天気関連情報を、前記指定された各地点の地図上の位置に表示させるとともに、
前記或る時期、及び当該或る時期の前又は後の時期において予想される天気に関連する前記天気関連情報を、前記地図とは異なる表示領域に表示させ、
前記或る時期を変更するユーザの操作に応じて、各々の前記天気関連情報に対応する前記時期を変化させて当該天気関連情報を表示させる
ことを特徴とする請求項１〜７のいずれか１項に記載の情報処理装置。
【請求項９】
前記表示制御部は、前記複数の地点のうちユーザによっていずれかの地点が指示されると、指示された当該地点に対する１以上のユーザからの投稿に関する情報を表示させる
ことを特徴とする請求項１〜８のいずれか１項に記載の情報処理装置。
【請求項１０】
コンピュータに、
ユーザによってそれぞれ個別に指定された複数の地点において予想される天気に関連する天気関連情報を取得するステップと、
取得された前記天気関連情報を、前記指定された各地点の地図上の位置と関連付けて表示装置に表示させるステップと
を実行させるためのプログラム。
【発明の詳細な説明】
【技術分野】
【０００１】
本発明は、天気に関連する情報をユーザに提示するための技術に関する。
【背景技術】
【０００２】
例えば特許文献１には、ユーザが所望する外出先の天気情報に基づくレジャー情報を検索するための仕組みが提案されている。この仕組みにおいては、ユーザによって指定された複数地点の天気情報を表示画面に同時に表示することが記載されている。
【先行技術文献】
【特許文献】
【０００３】
【特許文献１】特開２００３−３１６７９０号公報
【発明の概要】
【発明が解決しようとする課題】
【０００４】
ただし、特許文献１に記載の仕組みは、各地点の天気情報をリスト形式で列挙して表示するものに過ぎず、これを閲覧するユーザにとっては、例えば自身がいる地点や、自身がよく知っている地点或いは自身が予定している移動経路上の地点と、天気情報に対応する各地点との位置関係を容易に把握することができない。そこで、本発明は、ユーザが望む複数の地点の天気に関連する情報を分かりやすく提示することを目的とする。
【課題を解決するための手段】
【０００５】
上記課題を解決するため、本発明は、ユーザによってそれぞれ個別に指定された複数の地点において予想される天気に関連する天気関連情報を取得する取得部と、取得された前記天気関連情報を、前記指定された各地点の地図上の位置と関連付けて表示装置に表示させる表示制御部とを備えることを特徴とする情報処理装置を提供する。
【０００６】
前記表示制御部は、前記複数の地点において予想される天気に関連する天気関連情報を、各々の天気が予想される時期と関連付けて表示させ、さらに、ユーザの操作に応じて各々の前記地点における前記時期を個別に変化させるようにしてもよい。
【０００７】
前記表示制御部は、前記複数の地点における前記天気関連情報を、所定の条件に応じて異なる優先度に従って表示させるようにしてもよい。
【０００８】
前記表示制御部は、前記複数の地点における前記天気関連情報のうち、一部の天気関連情報については前記優先度に従って表示させ、当該一部以外の天気関連情報については前記優先度に従う表示を行わないようにしてもよい。
【０００９】
前記優先度が、前記天気関連情報の内容又は精度に応じて異なるようにしてもよい。
【００１０】
前記優先度が、前記複数の地点を経由する経路に応じて異なるようにしてもよい。
【００１１】
前記優先度が、前記複数の地点のそれぞれに対して１以上のユーザから投稿された内容又は投稿数に応じて異なるようにしてもよい。
【００１２】
前記表示制御部は、或る時期において予想される天気に関連する天気関連情報を、前記指定された各地点の地図上の位置に表示させるとともに、前記或る時期、及び当該或る時期の前又は後の時期において予想される天気に関連する前記天気関連情報を、前記地図とは異なる表示領域に表示させ、前記或る時期を変更するユーザの操作に応じて、各々の前記天気関連情報に対応する前記時期を変化させて当該天気関連情報を表示させるようにしてもよい。
【００１３】
前記表示制御部は、前記複数の地点のうちユーザによっていずれかの地点が指示されると、指示された当該地点に対する１以上のユーザからの投稿に関する情報を表示させるようにしてもよい。
【００１４】
また、本発明は、コンピュータに、ユーザによってそれぞれ個別に指定された複数の地点において予想される天気に関連する天気関連情報を取得するステップと、取得された前記天気関連情報を、前記指定された各地点の地図上の位置と関連付けて表示装置に表示させるステップとを実行させるためのプログラムを提供する。
【発明の効果】
【００１５】
本発明によれば、ユーザが望む複数の地点の天気に関連する情報を分かりやすく提示することが可能となる。
【図面の簡単な説明】
【００１６】
【図１】本発明の一実施形態に係る情報処理システム１の構成を例示する図である。
【図２】同実施形態に係るユーザ端末２０のハードウェア構成の一例を示すブロック図である。
【図３】同実施形態に係るサーバ装置１０のハードウェア構成の一例を示すブロック図である。
【図４】同実施形態に係るサーバ装置１０の機能構成の一例を示すブロック図である。
【図５】同実施形態に係る情報処理システム１の動作の一例を示すシーケンスチャートである。
【図６】同実施形態に係るユーザ端末２０の表示例を示す図である。
【図７】同実施形態に係るユーザ端末２０の表示例を示す図である。
【図８】同実施形態に係るユーザ端末２０の表示例を示す図である。
【発明を実施するための形態】
【００１７】
［構成］
図１は、本実施形態の情報処理システム１の一例を示す図である。情報処理システム１は、情報処理装置として機能するサーバ装置１０と、表示装置として機能するユーザ端末２０と、これらサーバ装置１０及びユーザ端末２０を通信可能に接続するネットワーク９０とを備えている。サーバ装置１０及びユーザ端末２０はいずれもコンピュータ装置であり、詳しくは後述する。ネットワーク９０は、例えばＬＡＮ（Local Area Network）又はＷＡＮ（Wide Area Network）、若しくはこれらの組み合わせであり、有線区間又は無線区間を含んでいる。なお、図１には、サーバ装置１０及びユーザ端末２０を１つずつ示しているが、これらはそれぞれ複数であってもよい。
【００１８】
この情報処理システム１において、ユーザ端末２０は、ユーザによって所望の地点が指定されると、その地点の天気関連情報をサーバ装置１０に要求する。サーバ装置１０は、この要求に応じて、ユーザにより指定された地点の天気関連情報を送信する。ユーザ端末２０は、サーバ装置１０から送信されてくる天気関連情報を、地図上の上記地点に関連付けて表示する。ここでいう天気関連情報は、天気予報（天気、気温、湿度、風速、降雨量、降雪量等）のほか、例えば花粉、積雪、植物の紅葉、花の開花、洗濯指数等の、天気に関連して動的に変動し得る情報を含む。
【００１９】
図２は、ユーザ端末２０のハードウェア構成を例示する図である。ユーザ端末２０は、スマートフォン又はタブレットの携帯型コンピュータのほか、例えばグラス型又はヘッドマウントディスプレイ型のウェアラブルコンピュータや、デスクトップ型又はノートブック型のパーソナルコンピュータであってもよい。ユーザ端末２０は、ＣＰＵ２０１（Central Processing Unit）、ＲＯＭ（Read Only Memory）２０２、ＲＡＭ（Random Access Memory）２０３、補助記憶装置２０４、通信ＩＦ２０５、表示部２０６及び操作部２０７を有する。
【００２０】
ＣＰＵ２０１は、各種の演算を行うプロセッサである。ＲＯＭ２０２は、例えばユーザ端末２０の起動に用いられるプログラム及びデータを記憶した不揮発性メモリである。ＲＡＭ２０３は、ＣＰＵ２０１がプログラムを実行する際のワークエリアとして機能する揮発性メモリである。補助記憶装置２０４は、例えばＨＤＤ（Hard Disk Drive）又はＳＳＤ（Solid State Drive）などの不揮発性の記憶装置であり、ユーザ端末２０において用いられるプログラム及びデータを記憶する。通信ＩＦ２０５は、所定の通信規格に従ってネットワーク９０を介した通信を行うためのインターフェースである。この通信規格は、無線通信の規格であってもよいし、有線通信の規格であってもよい。無線通信の場合、通信ＩＦ２０５は、例えばＬＴＥ（Long Term Evolution）又はＷｉ−Ｆｉ（登録商標）等の通信規格で動作するアンテナ及び通信回路を備えている。表示部２０６は、例えば液晶パネル及び液晶駆動回路などを含み、画像データに応じた画像を表示する。操作部２０７は、例えばキーやタッチセンサなどの操作子を含み、ユーザの操作を受け付けてその操作に応じた信号をＣＰＵ２０１に供給する。なお、ユーザ端末２０は、図２に例示した構成以外に、例えばＧＰＳ（Global Positioning System）ユニットや音声入出力部などの他の構成を含んでいてもよい。
【００２１】
図３は、情報処理装置としてのサーバ装置１０のハードウェア構成を例示する図である。サーバ装置１０は、ＣＰＵ１０１、ＲＯＭ１０２、ＲＡＭ１０３、補助記憶装置１０４、及び通信ＩＦ１０５を有するコンピュータ装置である。ＣＰＵ１０１は、各種の演算を行うプロセッサである。ＲＯＭ１０２は、例えばサーバ装置１０の起動に用いられるプログラム及びデータを記憶した不揮発性メモリである。ＲＡＭ１０３は、ＣＰＵ１０１がプログラムを実行する際のワークエリアとして機能する揮発性メモリある。補助記憶装置１０４は、例えばＨＤＤ又はＳＳＤなどの不揮発性の記憶装置であり、サーバ装置１０において用いられるプログラム及びデータを記憶する。ＣＰＵ１０１がこのプログラムを実行することにより、後述する図７に示される機能が実現される。通信ＩＦ１０５は、所定の通信規格に従ってネットワーク９０を介した通信を行うためのインターフェースである。サーバ装置１０は、図３に例示した構成以外に、例えば表示部や操作部などの他の構成を含んでいてもよい。
【００２２】
図４は、サーバ装置１０の機能構成の一例を示すブロック図である。これらの機能は、ハードウェアとしてのＣＰＵ１０１がプログラムを実行することにより実現される。各機能の具体的な内容は次のとおりである。
【００２３】
地点特定部１１は、ユーザによって指定された複数の地点を特定する。この地点は、例えばユーザが指定した目的地までの経路上の複数の地点がシステムによって自動的に特定されるというものではなく、ユーザの意思によってそれぞれ個別に逐一指定された複数の地点である。ユーザがユーザ端末２０を操作して各地点を指定すると、各地点の位置を示す情報がサーバ装置１０に通知され、地点特定部１１がこれら各地点を特定する。
【００２４】
取得部１２は、地点特定部１１によって特定された各地点において予想される天気に関連する天気関連情報を取得する。この天気関連情報と各地点とが対応付けられたデータベースがサーバ装置１０の補助記憶装置１０４又はネットワーク９０上の記憶装置に記憶されており、取得部１２は、これらのデータベースから各地点の天気関連情報を取得する。なお、このデータベースにおいて天気予報を含む場合には、予報区と呼ばれる所定の区域ごとに天気予報が対応付けられている。
【００２５】
表示制御部１３は、取得部１２により取得された天気関連情報を、ユーザにより指定された各地点の地図上の位置と関連付けてユーザ端末２０（表示装置）に表示させる。このため、表示制御部１３は、ユーザ端末２０において地図を表示させるための地図情報を含むデータベースを記憶しており、このデータベースから読み出した地図情報と天気関連情報とをユーザ端末２０に送信して、これらを表示させる。
【００２６】
［動作］
図５を参照して、情報処理システム１の動作例について説明する。ユーザがユーザ端末２０を操作してプログラムを起動すると（ステップＳ１）、ユーザ端末２０は起動通知をサーバ装置１０に通知する（ステップＳ２）。サーバ装置１０の表示制御部１３は、地図情報をデータベースから読み出して（ステップＳ３）、ユーザ端末２０に送信する（ステップＳ４）。ユーザ端末２０は、この地図情報に基づいて、地図を含む地点指定画面を表示部２０６に表示する（ステップＳ５）。
【００２７】
図６（Ａ）は、ユーザ端末２０に表示された地点指定画面の一例を示す図であり、ここでは、東京都心の地図Ｍを含む地点指定画面が表示されており、この地図Ｍはユーザの操作に応じてスクロール可能である。ユーザは自ら所望する地点として、表示されている地図Ｍ上の任意の位置をタップして指定することができる。また、ユーザは、所望する地点に関係するキーワードをテキスト入力欄Ｔに入力して地点の検索を行うことで、地点の指定を行うこともできる。地図上の位置を指定する場合には、土地勘のあるユーザが地点の指定を早く行うことができるので、便利である。一方、キーワード検索で地点を指定する場合には、土地勘のないユーザであっても容易に地点を指定することが可能となる。
【００２８】
ユーザ端末２０はユーザの地点指定操作を受け付けると（ステップＳ６）、その地点を識別する識別情報をサーバ装置１０に送信する（ステップＳ７）。サーバ装置１０の地点特定部１１は、この識別情報を取得することで、ユーザによって指定された地点を特定する。そして、サーバ装置１０の取得部１２は、地点特定部１１によって特定された地点において予想される天気に関連する天気関連情報をデータベースから取得する（ステップＳ８）。なお、天気関連情報として天気予報を取得する場合には、取得部１２は、ユーザによって指定された地点を予報区に変換し、その予報区の天気予報を取得する。
【００２９】
表示制御部１３は、取得部１２により取得された天気関連情報を、ユーザにより指定された地点の地図上の位置と関連付けてユーザ端末２０（表示装置）に表示させるべく、天気関連情報をユーザ端末２０に送信する（ステップＳ９）。ユーザ端末２０は、表示制御部１３の制御に従い、ユーザにより指定された地点の地図上の位置と関連付けて、受信した天気関連情報を表示する（ステップＳ１０）。
【００３０】
図６（Ｂ）は、ユーザ端末２０に天気関連情報が表示された一例を示す図である。図示しているように、ユーザにより指定された地点（ここでは○○ドーム）の目印となる目印画像ＳＴ１が地図Ｍ上に表示され、さらにその地図Ｍの表示領域と異なる表示領域Ｗ（ここでは地図Ｍの下方）に、ユーザにより指定された地点（○○ドーム）の現在から１時間ごとの天気予報が天気関連情報として表示されている。天気関連情報には、地点の名称「○○ドーム」と、その地点の住所（又は予報区の名称）である「ＡＡ区」が含まれている。このようにすれば、ユーザが指定した地点の名称だけではその位置を理解できない場合であっても、住所表示を見ることで、その地点のおおよその位置を把握することができる。
【００３１】
以上の処理が、ユーザが地点を指定するたびに行われる。これにより、複数の地点が地図上に表示されるとともに、これらの地点の天気関連情報が同時に表示されることになる。図６（Ｃ）は、ユーザ端末２０において２つの地点の天気関連情報が表示された一例を示す図である。図示しているように、ユーザにより先に指定された第１の地点（○○ドーム）の目印画像ＳＴ１、及びユーザにより後に指定された第２の地点（○○神宮）の目印画像ＳＴ２が地図Ｍ上に表示される。これとともに、表示領域Ｗには、これら第１の地点及び第２の地点の現在から１時間ごとの天気予報が天気関連情報として表示される。第１の地点の目印画像ＳＴ１には、地点の指定順序である「１」が含まれ、且つ、天気関連情報にもその地点の指定順序である「１」が含まれている。同様に、第２の地点の目印画像ＳＴ２には、地点の指定順序である「２」が含まれ、且つ、天気関連情報にもその地点の指定順序である「２」が含まれている。これにより、ユーザは指定した地点のうち、どの地点に対応する天気関連情報が表示されているのかを明確に理解することができる。なお、図６（Ｃ）では、ユーザ端末２０において第１の地点及び第２の地点の天気関連情報が同時に表示されているが、このような表示形態ではなく、例えば第１の地点の天気関連情報の表示は表示領域Ｗの上方に隠れており、表示領域Ｗを下方にスクロールすると第１の地点の天気関連情報が現れるようにしてもよい。
【００３２】
このように地点の指定を繰り返すことで、図７（Ａ）に示すように、例えば最大５つの地点の天気関連情報がユーザ端末２０に表示される。ソフトボタンＳＢは、天気予報の周期を１時間毎又は１日毎に切り替えるためのボタンである。図７（Ａ）は、天気予報の周期が１時間毎の場合であり、表示領域Ｗを左右にスクロールすると、天気予報の時間軸がスライドされ、現在から翌日２３時までの天気予報を閲覧可能となる。また、図７（Ｂ）は、天気予報の周期が１日毎の場合であり、表示領域Ｗを左右にスクロールすると、天気予報の時間軸がスライドされ、現在から１０日先までの天気予報を閲覧可能となる。このように、サーバ装置１０の表示制御部１３は、或る時期において予想される天気に関連する天気関連情報を、指定された各地点の地図Ｍ上の位置に表示させるとともに、或る時期、及び当該或る時期の前又は後の時期において予想される天気に関連する天気関連情報を、地図Ｍとは異なる表示領域Ｗに表示させ、或る時期を変更するユーザの操作に応じて、各々の天気関連情報に対応する時期を変化させて当該天気関連情報を表示させる。これにより、ユーザは知りたい時期の天気関連情報を容易に把握することが可能となる。なお、この例では、地図Ｍに第２の地点の目印画像ＳＴ２しか表示されていないが、地図を縮小して全ての地点の目印画像を地図Ｍに表示させるようにしてもよい。また、表示領域Ｗ上において任意の地点を選択したとき、その地点に対応する地点を地図Ｍ上に表示（地図の位置を移動して表示）させるようにしてもよい。これにより、地図Ｍと表示領域Ｗの同期をさらに取ることができ、ユーザは、天気と地図上の位置をより明瞭に把握することができる。
【００３３】
以上説明したように、本実施形態によれば、ユーザが望む複数の地点の天気に関連する情報を分かりやすく提示することが可能となる。
【００３４】
［変形例］
本発明は、上述した実施形態に限定されない。上述した実施形態を以下のように変形してもよい。また、以下の２つ以上の変形例を組み合わせて実施してもよい。
［変形例１］
表示制御部１３は、複数の地点において予想される天気に関連する天気関連情報を、各々の天気が予想される時期と関連付けて表示させ、さらに、ユーザの操作に応じて各々の地点における時期を個別に変化させるようにしてもよい。図８（Ａ）（Ｂ）は、表示領域Ｗの表示例を示す図である。例えば図８（Ａ）に示すように３つの地点の天気予報が表示されている場合に、ユーザの操作に応じて、各地点における時間軸（天気関連情報の時期）を個別に変化させる。これにより、図８（Ｂ）に示すように、例えば第１の地点である東京ドームについては１２時から１６時の天気予報が表示され、第２の地点である明治神宮については１４時から１８時の天気予報が表示され、第３の地点であるお台場海浜公園については１６時から２０時の天気予報が表示される。このように地点ごとの天気関連情報の時間軸を個々に変化させることで、例えばユーザが指定した３地点を天気が良いときだけを選んで順番に訪問したいような場合に、どのような順序でいつごろ各地点を訪問すればよいかを容易に計画することが可能となる。
【００３５】
［変形例２］
実施形態において、表示制御部１３は、複数の地点における天気関連情報を指定された順序で、表示領域Ｗにおいて上方から下方に並べて表示していた。表示制御部１３は、複数の地点における天気関連情報を、所定の条件に応じて異なる優先度に従って表示させるようにしてもよい。この優先度は、例えば天気関連情報の内容又は精度に応じて異なっていてもよい。例えば、天気予報の精度が例えばＡ：精度高い、Ｂ：精度中程度、Ｃ：精度低いというように３段階に分かれている場合、表示制御部１３は、Ａ＝２点、Ｂ＝１点、Ｃ＝０点といったスコアの合計値が高い地点から順に、表示領域Ｗにおいて上方から下方に並べてもよい。これにより、信頼性の高い天気予報の地点から順に表示することができる。また、表示制御部１３は、最高気温の合計値が高いものの順に並べるとか、最低気温の低い順に並べるとか、雨のマークの少ない順や晴れのマークの多い順等に並べて表示してもよい。これにより、天気関連情報を様々な観点で並び替えて表示することができる。
【００３６】
優先度が、複数の地点を経由する経路に応じて異なっていてもよい。例えば１時間毎の天気関連情報の表示の場合、表示制御部１３は、地点間を移動するときの移動距離ができるだけ短くなるような地点を繋いだ経路であって、且つ、各地点の天気ができるだけ良くなる（晴れ優先となるような）経路を特定し、そのような経路における各地点の訪問順に、表示領域Ｗにおいて上方から下方に並べて天気関連情報を表示する。また、１日毎の天気関連情報の表示の場合、表示制御部１３は、複数の地点を複数日かけて移動するときの移動距離ができるだけ短くなるような地点を繋いだ経路であって、且つ、各地点の天気ができるだけ良くなる（晴れ優先となるような）経路を特定し、さらに、各地点までの移動時間や移動手段を鑑みて、そのような経路における各地点の訪問順に表示領域Ｗにおいて上方から下方に並べて表示する。この場合、各地点の滞在時間や日をユーザが入力できるような画面を別途準備して、表示制御部１３は、その入力条件に従って経路を特定してもよい。
【００３７】
［変形例３］
表示制御部１３は、複数の地点における天気関連情報のうち、一部の天気関連情報については優先度に従って表示させ、当該一部以外の天気関連情報については優先度に従う表示を行わないようにしてもよい。ここでいう当該一部以外の天気関連情報とは、例えばユーザの自宅や勤務先などの閲覧頻度が高い天気関連情報であり、予めユーザにより選択されていたり過去の閲覧履歴から学習により特定されてもよい。
【００３８】
［変形例４］
各地点に対して複数のユーザから例えばその地点に対するコメントや画像等を投稿可能なシステム構成の場合、優先度が、複数の地点のそれぞれに対して１以上のユーザから投稿された内容又は投稿数に応じて異なっていてもよい。表示制御部１３は、例えば、天気が良いことに関するコメントを高評価とし天気が悪いことに関するコメントを低評価として、その評価値の合計が高い地点から順に、表示領域Ｗにおいて上方から下方に並べて表示したり、コメント数が多い地点から順に、表示領域Ｗにおいて上方から下方に並べてもよい。この場合、表示制御部１３は、複数の地点のうちユーザによっていずれかの地点が指示されると、指示された当該地点に対する１以上のユーザからの投稿に関する情報を表示させるようにしてもよい。
【００３９】
［変形例５］
サーバ装置１０は、ユーザにより指定された地点のうち、１つ又は複数の地点を、プログラム起動時のトップ画面の天気関連情報の登録地点とする機能を備えるようにしてもよい。これにより、複数地点から選ばれた地点（例えば週末の行先として選ばれた地点）の天気関連情報をいつでも参照できるようにすることができ、ユーザの利便性に寄与する。
【００４０】
［変形例６］
実施形態においては、ユーザ端末２０の起動通知に応じて、サーバ装置１０からユーザ端末２０に地図情報が送信されていた。これに代えて、サーバ装置１０から地図情報のリンク先等をユーザ端末２０に送信し、ユーザ端末２０がそのリンク先にアクセスして地図情報を取得して表示するようにしてもよい。
【００４１】
［そのほかの変形例］
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。例えば、サーバ装置１０の機能の少なくとも一部がユーザ端末２０に実装されてもよい。サーバ装置１０の機能の全部がユーザ端末２０に実装された場合、ユーザ端末２０が本発明に係る情報処理装置として機能することになるが、この場合、本発明における表示装置は、ユーザ端末２０の表示部２０６に相当する。
【００４２】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００４３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した取得の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、その所定の情報の通知を行わない）ことによって行われてもよい。
【００４４】
本明細書で使用する「システム」及び「ネットワーク」という用語は、互換的に使用される。
【００４５】
本明細書で説明した情報又はパラメータなどは、絶対値で表されてもよいし、所定の値からの相対値で表されてもよいし、対応する別の情報で表されてもよい。例えば、無線リソースはインデックスで指示されるものであってもよい。
【００４６】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００４７】
本明細書で使用する「判定（determining）」、「決定（determining）」という用語は、多種多様な動作を包含する場合がある。「判定」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）  した事を「判定」「決定」したとみなす事などを含み得る。また、「判定」、「決定」は、受信（receiving）  （例えば、情報を受信すること）、送信（transmitting）（例えば、情報を送信すること）、入力（input）、出力（output）、アクセス（accessing）（例えば、メモリ中のデータにアクセスすること）した事を「判定」「決定」したとみなす事などを含み得る。また、「判定」、「決定」は、解決（resolving）、選択（selecting）、選定（choosing）、確立（establishing）、比較（comparing）などした事を「判定」「決定」したとみなす事を含み得る。つまり、「判定」「決定」は、何らかの動作を「判定」「決定」したとみなす事を含み得る。
【００４８】
本発明は、サーバ装置１０又は情報処理システム１において行われる処理のステップを備える情報処理方法として提供されてもよい。また、本発明は、サーバ装置１０又はユーザ端末２０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００４９】
ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５１】
本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００５２】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。従って、第１及び第２要素への参照は、２つの要素のみがそこで採用され得ること、又は何らかの形で第１要素が第２要素に先行しなければならないことを意味しない。
【００５３】
上記の各装置の構成における「手段」を、「部」、「回路」、「デバイス」等に置き換えてもよい。
【００５４】
「含む（ｉｎｃｌｕｄｉｎｇ）」、「含んでいる（ｃｏｍｐｒｉｓｉｎｇ）」、及びそれらの変形が、本明細書或いは特許請求の範囲で使用されている限り、これら用語は、用語「備える」と同様に、包括的であることが意図される。さらに、本明細書或いは特許請求の範囲において使用されている用語「又は（or）」は、排他的論理和ではないことが意図される。
【００５５】
本開示の全体において、例えば、英語でのa、an、及びtheのように、翻訳により冠詞が追加された場合、これらの冠詞は、文脈から明らかにそうではないことが示されていなければ、複数のものを含むものとする。
【００５６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
１…情報処理システム、１０…サーバ装置、１１…地点特定部、１２…取得部、１３…表示制御部、２０…ユーザ端末、９０…ネットワーク、１０１…ＣＰＵ、１０２…ＲＡＭ、１０３…ＲＯＭ、１０４…補助記憶装置、１０５…通信ＩＦ、２０１…ＣＰＵ、２０２…ＲＡＭ、２０３…ＲＯＭ、２０４…補助記憶装置、２０５…通信ＩＦ、２０６……表示部、２０７…操作部。
【図１】
2019164436.tif 000003
【図２】
2019164436.tif 000004
【図３】
2019164436.tif 000005
【図４】
2019164436.tif 000006
【図５】
2019164436.tif 000007
【図６】
2019164436.tif 000008
【図７】
2019164436.tif 000009
【図８】
2019164436.tif 000010